(57)【要約】      （修正有）【課題】取り外し不能の接続ケーブルを有しながらも持ち運びが容易な呼気センサを提供する。【解決手段】呼気センサは、呼気中に含まれる特定成分ガスを検知するガスセンサ回路部３０と、ガスセンサ回路部３０を自身の内部に収容したケース部材１０と、ガスセンサ回路部３０からケース部材１０の外部に延出し、外部機器に接続する接続ケーブル４０とを備え、ケース部材１０は、自身の内部に接続ケーブル４０を収容可能に構成されてなる。【選択図】図３
2015099091.tif 000002
【特許請求の範囲】
【請求項１】
呼気中に含まれる特定成分ガスを検知するガスセンサ回路部と、
上記ガスセンサ回路部を自身の内部に収容したケース部材と、
上記ガスセンサ回路部から上記ケース部材の外部に延出し、外部機器に接続する接続ケーブルと、を備える
呼気センサであって、
上記ケース部材は、
自身の内部に上記接続ケーブルを収容可能に構成されてなる
呼気センサ。
【請求項２】
請求項１に記載の呼気センサであって、
前記ケース部材は、
直方体状で、自身の内部に前記ガスセンサ回路部を収容してなり、上記内部に連通する開口を有するケース本体と、
上記開口を閉塞する板状で上記ケース部材の外壁面の少なくとも一部をなす収容外壁部を含む収容部材と、を有し、
上記ケース本体及び上記収容部材は、
上記収容外壁部を上記ケース本体の上記開口内から上記収容外壁部の厚み方向に出し入れ可能とするスライド機構を構成してなり、
上記収容部材は、
上記スライド機構により、上記収容部材を上記厚み方向のうち出し方向に移動させ、上記収容外壁部を上記ケース本体から離間させた状態において、上記収容外壁部から上記厚み方向のうち上記出し方向と逆の入れ方向に延びる巻芯部を有し、
上記ケース本体及び上記収容部材は、
上記巻芯部に前記接続ケーブルを巻き付け、上記収容部材を上記厚み方向のうち上記入れ方向に移動させ、上記収容外壁部で上記開口を閉塞することにより、上記接続ケーブルを上記ケース本体内に収容可能に構成されてなる
呼気センサ。
【請求項３】
請求項２に記載の呼気センサであって、
前記ケース本体は、
長手方向に延びる四つの側壁部を有し、
上記開口は、
上記四つの側壁部のうちの１つの側壁部に開口し、上記長手方向に直交する横方向に沿う横寸法よりも上記長手方向に沿う長手寸法が大きい矩形状を有し、
前記巻芯部は、
前記接続ケーブルが、上記長手方向に長径をなし上記横方向に短径をなす長円状に巻かれる形態とされてなる
呼気センサ。
【請求項４】
請求項２または請求項３に記載の呼気センサであって、
前記ケース本体の前記開口の周縁、及び、前記収容部材の前記収容外壁部の周縁の少なくともいずれかに、上記開口を上記収容外壁部で閉塞した状態において、自身を通じて上記ケース部材外に前記接続ケーブルを延出可能とするケーブル延出用切り欠きを有する
呼気センサ。
【発明の詳細な説明】
【技術分野】
【０００１】
本発明は、呼気中に含まれる特定成分ガスを検知する呼気センサに関する。
【背景技術】
【０００２】
近年、自動車、鉄道等の運転者の飲酒運転防止のため、運転者の呼気中に含まれるアルコールを検知できる呼気センサが知られている。
また、このような呼気センサと携帯端末とを用いて、呼気センサで測定した結果を、携帯端末を通じて管理者のＰＣ（または管理者の携帯端末）に送信するアルコール検知システムも知られている。このアルコール検知システムによれば、運転者が遠隔地にいる場合でも、管理者は、自身のＰＣ（または携帯端末）に送信された測定結果から、運転者の状態（運転者の呼気におけるアルコールの有無）を管理することができる。
そのようなアルコール検知システムとして、例えば、特許文献１には、アルコールガスセンサー（呼気センサ）と被験者（使用者）の顔写真を撮影するデジタルカメラとを備えるアルコール検知システムが開示されている。このシステムでは、被験者がアルコールガスセンサーで測定している最中にデジタルカメラで撮影した被験者の顔写真を、測定結果と共に管理者のＰＣに向けて送信する。
【先行技術文献】
【特許文献】
【０００３】
【特許文献１】特許第４０６３６６３号公報
【発明の概要】
【発明が解決しようとする課題】
【０００４】
ところで、特許文献１に記載のアルコール検知システムにおいて、デジタルカメラとして、デジタルカメラを内蔵した携帯端末（以下、カメラ付き携帯端末ともいう）を用いる場合がある。この場合、このカメラ付き携帯端末のみで、被験者（使用者）の顔写真を撮影すると共に、アルコールガスセンサー（呼気センサ）で測定した結果を送信することができるため、デジタルカメラの他にデータ送信機器を別途備えるシステムよりも好ましい。
なお、特許文献１に記載のアルコール検知システムでは、呼気センサで呼気を測定している最中に、呼気センサを写し込んだ顔写真（特許文献１の図２３）をカメラ付き携帯端末で撮影するため、カメラ付き携帯端末と呼気センサとを互いに離して用いる。但し、カメラ付き携帯端末のシャッタタイミングを呼気センサから知らせたり、呼気センサによる測定結果をカメラ付き携帯端末に送信するのに、呼気センサと携帯端末とを互いに通信させる必要がある。
【０００５】
しかしながら、呼気センサとカメラ付き携帯端末とを互いに接続ケーブルを介して接続するアルコール検知システムでは、呼気センサの不使用時に、呼気センサ及びカメラ付き携帯端末から接続ケーブルを外すと、単独となった接続ケーブルを紛失しやすくなる。一方、呼気センサに取り外し不能に接続ケーブルを設けた場合には呼気センサの持ち運びにあたり接続ケーブルが邪魔になりがちである。
本発明は、かかる課題に鑑みてなされたものであって、取り外し不能の接続ケーブルを有しながらも持ち運びが容易な呼気センサを提供することを目的とする。
【課題を解決するための手段】
【０００６】
本発明の一態様は、呼気中に含まれる特定成分ガスを検知するガスセンサ回路部と、上記ガスセンサ回路部を自身の内部に収容したケース部材と、上記ガスセンサ回路部から上記ケース部材の外部に延出し、外部機器に接続する接続ケーブルと、を備える呼気センサであって、上記ケース部材は、自身の内部に上記接続ケーブルを収容可能に構成されてなる呼気センサである。
【０００７】
上述の呼気センサでは、ケース部材が自身の内部に接続ケーブルを収容可能に構成されてなるので、呼気センサの不使用時には、ケース部材内に接続ケーブルを収容することができる。従って、取り外し不能の接続ケーブルを有しながらも、接続ケーブルが邪魔にならずに持ち運びが容易な呼気センサとすることができる。
【０００８】
なお、呼気センサとして、例えば、呼気中のアルコール（エタノール）を検知する検知器（アルコール検知器）や、呼気中のアセトンを検知する検知器や、呼気中の口臭成分を検知する検知器が挙げられる。また、接続ケーブルとしては、例えば電源に接続する接続ケーブルや、携帯端末あるいはカメラ付き携帯端末に接続する、通信用や電源・通信兼用の接続ケーブルが挙げられる。また、「自身の内部に接続ケーブルを収容可能に構成されてなる」ケース部材としては、例えば、ケース部材内の束ねた接続ケーブルを収容した後に蓋で閉塞する形態のケース部材や、巻芯部に接続ケーブルを手で巻き付けた状態でケース部材内に収容可能に構成したケース部材や、接続ケーブルを巻き取る巻取機構を内部に備えるケース部材が挙げられる。
【０００９】
さらに、上述の呼気センサであって、前記ケース部材は、直方体状で、自身の内部に前記ガスセンサ回路部を収容してなり、上記内部に連通する開口を有するケース本体と、上記開口を閉塞する板状で上記ケース部材の外壁面の少なくとも一部をなす収容外壁部を含む収容部材と、を有し、上記ケース本体及び上記収容部材は、上記収容外壁部を上記ケース本体の上記開口内から上記収容外壁部の厚み方向に出し入れ可能とするスライド機構を構成してなり、上記収容部材は、上記スライド機構により、上記収容部材を上記厚み方向のうち出し方向に移動させ、上記収容外壁部を上記ケース本体から離間させた状態において、上記収容外壁部から上記厚み方向のうち上記出し方向と逆の入れ方向に延びる巻芯部を有し、上記ケース本体及び上記収容部材は、上記巻芯部に前記接続ケーブルを巻き付け、上記収容部材を上記厚み方向のうち上記入れ方向に移動させ、上記収容外壁部で上記開口を閉塞することにより、上記接続ケーブルを上記ケース本体内に収容可能に構成されてなる呼気センサとすると良い。
【００１０】
上述の呼気センサは、ケース本体及び収容部材が上述のスライド機構を構成してなり、収容部材の巻芯部に接続ケーブルを巻き付けた後に、収容部材を入れ方向に移動させ、収容外壁部で開口を閉塞することにより、接続ケーブルをケース本体内に収容可能に構成されている。このため、接続ケーブルを折り返して束ねるなどの作業をせず、巻芯部に巻き付けて収容部材をスライドさせれば良く、容易に接続ケーブルを収容できる。
【００１１】
さらに、上述の呼気センサであって、前記ケース本体は、長手方向に延びる四つの側壁部を有し、上記開口は、上記四つの側壁部のうちの１つの側壁部に開口し、上記長手方向に直交する横方向に沿う横寸法よりも上記長手方向に沿う長手寸法が大きい矩形状を有し、前記巻芯部は、前記接続ケーブルが、上記長手方向に長径をなし上記横方向に短径をなす長円状に巻かれる形態とされてなる呼気センサとすると良い。
【００１２】
上述の呼気センサでは、接続ケーブルが長円状に巻芯部に巻き付けられるので、小さな半径で接続ケーブルを巻き付ける部分を少なくでき、接続ケーブルの巻き付けによる劣化を減少することができる。
【００１３】
さらに、上述のいずれかの呼気センサであって、前記ケース本体の前記開口の周縁、及び、前記収容部材の収容外壁部の周縁の少なくともいずれかに、上記開口を上記収容外壁部で閉塞した状態において、自身に通じてケース部材外に前記接続ケーブルを延出可能とするケーブル延出用切り欠きを有する呼気センサとすると良い。
【００１４】
上述の呼気センサは、上述のケーブル延出用切り欠きを有するので、開口を収容外壁部で閉塞した状態で、開口と収容外壁部との間に接続ケーブルが挟まれて傷つくことなく、接続ケーブルをケース本体内から外部に延出させることができる。
【図面の簡単な説明】
【００１５】
【図１】実施形態にかかる呼気センサをカメラ付き携帯端末に接続した状態を示す説明図である。
【図２】実施形態の呼気センサにかかり、（ａ）は正面図、（ｂ）は右側面図である。
【図３】実施形態の呼気センサにかかり、収容部材を引き出した状態を示す説明図である。
【図４】実施形態の呼気センサにかかり、呼気吹込部の貫通孔にストローを挿着した状態を示す説明図である。
【図５】実施形態の呼気センサにかかり、収容部材の巻芯部に接続ケーブルを巻き付けた状態を示す説明図である。
【図６】変形形態の呼気センサにかかり、接続ケーブルをケース部材から外部に延出した状態を示す説明図である。
【発明を実施するための形態】
【００１６】
（実施形態）
まず、本実施形態にかかる呼気センサ１について図面を参照して説明する。図１は、カメラ付き携帯端末６０と自身の接続ケーブル４０（次述）を通じて接続した、本実施形態の呼気センサ１を示す説明図である。また、図２（ａ）は、呼気センサ１の正面図、図２（ｂ）は右側面図である。
この呼気センサ１は、呼気中に含まれるアルコールを検知するガスセンサ回路部３０と、このガスセンサ回路部３０を自身の内部に収容したケース部材１０と、ガスセンサ回路部３０に一方端が接続され、このガスセンサ回路３０から延びてケース部材１０の外部に延出し、カメラ付き携帯端末６０に接続する接続ケーブル４０とを備える（図１参照）。
【００１７】
このうち、ガスセンサ回路部３０は、呼気に含まれるアルコールを検知するガスセンサ素子（図示しない）のほか、ガスセンサ素子を駆動したり、センサ出力信号を処理する回路素子（図示しない）やマイクロコンピュータ（図示しない）を有している。
また、接続ケーブル４０は、具体的にはＵＳＢケーブルであり、自身の一方端がガスセンサ回路部３０に接続され、アース用リード線、電源用リード線、信号用リード線を含むコード部４１と、このコード部４１の他方端に設けられた接続端子部４２とを有する（図１参照）。この接続ケーブル４０の接続端子部４２を、カメラ付き携帯端末６０の外部接続端子６１（具体的にはＵＳＢ端子）に接続することで、この接続ケーブル４０を通じて、カメラ付き携帯端末６０から呼気センサ１のガスセンサ回路部３０に電力を供給すると共に、ガスセンサ回路部３０からカメラ付き携帯端末６０に呼気中のアルコールに関するデータを送信することができる。
なお、本実施形態にかかる呼気センサ１では、接続ケーブル４０をガスセンサ回路部３０に固定して接続しているため、呼気センサ１から接続ケーブル４０を取り外すことができない。このため、呼気センサ１の不使用時に、接続ケーブル４０が単独で紛失するのを防ぐことができる。
【００１８】
また、ケース部材１０は、長手方向ＤＬ（図中、上下方向）に延びる直方体状のケース本体１１と、ケース部材１０の外壁面１０Ｆの一部をなす収容外壁部２２を含み、この収容外壁部２２の厚み方向ＤＴにスライド可能とされた収容部材２１とを有する（図２（ａ），図３参照）。
このうちケース本体１１は、図３に示すように、長手方向ＤＬ一方側（図３中、下方）に位置する矩形状の底壁部１２と、長手方向ＤＬ他方側（図３中、上方）に位置する矩形状の上壁部１４と、これら底壁部１２及び上壁部１４との間に位置し、長手方向ＤＬに延びる第１側壁部１３Ａ，第２側壁部１３Ｂ，第３側壁部１３Ｃ及び第４側壁部１３Ｄとを有する。なお、第１側壁部１３Ａと第２側壁部１３Ｂ、及び、第３側壁部１３Ｃと第４側壁部１３Ｄとが互いに対向している。また、第１〜第４側壁部１３Ａ〜１３Ｄのうち底壁部１２寄りの部位は、呼気センサ１の使用者が次述する呼気吹掛部５１または呼気吹込部５５のいずれかに呼気を導入させるにあたり、手指で呼気センサ１を握る部分となる。
【００１９】
また、本実施形態のケース本体１１の第１側壁部１３Ａには、呼気吹掛部５１及び呼気吹込部５５が設けてある（図３参照）。このうち呼気吹掛部５１は、第１側壁部１３Ａをケース本体１１の外側から内側に貫通しており、内部で３つに分かれる貫通孔５２と、この貫通孔５２のケース内側に配置されたフィルタ５３とを含む。なお、このフィルタ５３は、唾液等の水分や異物の侵入を防いで、気体（ガス）のみを透過できる材質からなる。
この呼気吹掛部５１に向けて使用者が呼気を吹き付けた場合、使用者の呼気は、貫通孔５２及びフィルタ５３を通じて、ケース本体１１内に収容されたガスセンサ回路部３０のガスセンサ素子（図示しない）に到達する。このため、このガスセンサ素子により呼気に含まれるアルコールを検知できる。
一方、呼気吹込部５５は、第１側壁部１３Ａを貫通する貫通孔５６を含む。例えば、屋外など風の影響を受けるような場所で測定する場合、上述の呼気吹掛部５１に代えて呼気吹込部５５を用いる。この呼気吹込部５５を用いて測定する場合、図４に示すように、貫通孔５６にストロー９０の一方端を挿入し、使用者がストロー９０を通じて呼気吹込部５５に呼気を吹き込む。使用者の呼気は、貫通孔５６からケース本体１１内を通じて、ガスセンサ回路部３０のガスセンサ素子に到達するので、呼気中のアルコールを検知できる。
【００２０】
また、ケース本体１１は、長手方向ＤＬに延びる４つの側壁部１３Ａ，１３Ｂ，１３Ｃ，１３Ｄのうちの第３側壁部１３Ｃに開口１５を有している（図３参照）。この開口１５は、ケース本体１１の内部に連通している（図３参照）。また、図２に示すように、長手方向ＤＬに直交する横方向ＤＳに沿う横寸法ＭＳよりも長手方向ＤＬに沿う長手寸法ＭＬが大きい矩形状である（ＭＬ＞ＭＳ）。
【００２１】
一方、ケース部材１０の収容部材２１は、図３に示すように、板状でケース部材１０の外壁面１０Ｆの一部をなす収容外壁部２２と、この収容外壁部２２をケース本体１１から離間させた状態において、この収容外壁部２２からケース本体１１の開口１５に向け、収容外壁部２２の厚み方向ＤＴの第１厚み方向ＤＴ１に延びる巻芯部２３とを有する。さらに、巻芯部２３よりもケース本体１１側に配置された矩形板状の仕切部２４と、この仕切部２４からケース本体１１側に延出する板状のスライド部２５とを有する。
このうち巻芯部２３は、図３，５に示すように、横方向ＤＳよりも長手方向ＤＬに長い形状である。このため、この巻芯部２３に接続ケーブル４０を長手方向ＤＬに沿って巻き付けた場合、この接続ケーブル４０を、長手方向ＤＬに長径をなし、横方向ＤＳに短径をなす長円状に巻き付けることができる。なお、本実施形態では、巻芯部２３に接続ケーブル４０を巻き付けた状態で、接続ケーブル４０がなす長円の長径が開口１５の長手寸法ＭＬよりも小さく、かつ、長円の短径が開口１５の横寸法ＭＳよりも小さくなるように、巻芯部２３の横方向ＤＳ及び長手方向ＤＬの各寸法を選択してある。このため、巻芯部２３に接続ケーブル４０を巻き付けた後、収容部材２１をケース本体１１側にスライドさせた場合、巻芯部２３と共に接続ケーブル４０を、開口１５と通じてケース本体１１内に容易に収容できる。
また、厚み方向ＤＴのうちケース本体１１から収容部材２１に向かう方向（即ち、図３中、左上から右下に向かう方向、及び、図２（ａ），図５中、右方向）を第１厚み方向ＤＴ１、この第１厚み方向ＤＴ１とは逆の方向（即ち、図３中、右下から左上に向かう方向、及び、図２（ａ），図５中、左方向）を第２厚み方向ＤＴ２とする。すると、巻芯部２３の第１厚み方向ＤＴ１には収容外壁部２２が、第２厚み方向ＤＴ２には仕切部２４がそれぞれ位置している。このため、巻芯部２３に接続ケーブル４０を巻き付けた場合、巻芯部２３から厚み方向ＤＴに広がることなく、接続ケーブル４０を巻芯部２３に確実に巻き付けておくことができる（図５参照）。
【００２２】
また、図１，２に示すように、収容部材２１の収容外壁部２２でケース本体１１の開口１５を閉塞したとき、収容外壁部２２よりも厚み方向ＤＴの第２厚み方向ＤＴ２側に位置する巻芯部２３は、ケース本体１１内に配置されている。つまり、本実施形態の呼気センサ１は、接続ケーブル４０を、巻芯部２３に巻き付けた状態でケース本体１１内に収容できる構成にされている。
また、この収容外壁部２２の四角形状の周縁２２Ｅのうち、長手方向ＤＬ下側に位置する下側周縁部２２ＥＵに、Ｕ字溝状の切欠部２２Ｈが形成されている（図２（ｂ），図３参照）。このため、収容外壁部２２で開口１５を閉塞した状態でも、この切欠部２２Ｈを通じて、接続ケーブル４０をケース部材１０内から外部に延出させることができる。
【００２３】
なお、本実施形態にかかる呼気センサ１のケース本体１１及び収容部材２１が、厚み方向ＤＴにスライド可能とするスライド機構Ｓ１を構成している。このスライド機構Ｓ１は、図３に示す、ケース本体１１の第２側壁部１３Ｂの内表面１３Ｆにそれぞれ形成された第１ガイド部１７及び第２ガイド部１８、これら第１ガイド部１７及び第２ガイド部１８上を覆うカバー部１９、及び、第２側壁部１３Ｂとカバー部１９との間に挟まれた、収容部材２１のスライド部２５からなる。なお、スライド部２５は、矩形板状の本体部２５Ｘと、この本体部２５Ｘよりも長手方向ＤＬ両側にそれぞれ突出した形態の先端部２５Ｙとを有する（図３参照）。
【００２４】
厚み方向ＤＴに延びる矩形帯状の２つの第１ガイド部１７，１７は、スライド部２５の先端部２５Ｙについて厚み方向ＤＴに沿う移動をガイドする。また、２つの第２ガイド部１８，１８は、２つの第１ガイド部１７，１７よりも長手方向ＤＬ内側にそれぞれ位置し、スライド部２５の本体部２５Ｘの厚み方向ＤＴに沿う移動をガイドする。加えて、第２ガイド部１８は、スライド部２５の先端部２５Ｙの先端突出部２５Ｚに比して第１厚み方向ＤＴ１に配置されている。このため、収容部材２１を第１厚み方向ＤＴ１にスライドさせた場合、先端突出部２５Ｚが第２ガイド部１８に当接して、スライド部２５が第１ガイド部１７同士の間から抜けて、収容部材２１がケース本体１１から第１厚み方向ＤＴ１に外れるのを防ぐストッパとしても機能している。また、カバー部１９が、第１ガイド部１７，第２ガイド部１８，スライド部２５を横方向ＤＳ外側から覆い、スライド部２５の横方向ＤＳの移動を防止している。
【００２５】
本実施形態にかかる呼気センサ１は、上述したスライド機構Ｓ１を有している。このため、例えば、図１に示す状態、即ちケース本体１１の開口１５を収容外壁部２２で閉塞し、接続ケーブル４０をケース部材１０の外部に延出させた状態から、収容部材２１を厚み方向ＤＴの第１厚み方向ＤＴ１にスライドさせて、図３に示す状態、即ち収容外壁部２２をケース本体１１から離間させ、巻芯部２３を露出した状態にすることができる。また、図５に示す状態、即ち巻芯部２３に接続ケーブル４０を巻き付けた状態から、収容部材２１（収容外壁部２２）を厚み方向ＤＴの第２厚み方向ＤＴ２にスライドさせて、図２に示す状態、即ちケース部材１０の内部に接続ケーブル４０を収容しつつ、ケース本体１１の開口１５を収容外壁部２２で閉塞した状態にすることができる。
【００２６】
本実施形態にかかる呼気センサ１では、ケース部材１０が自身の内部に接続ケーブル４０を収容可能に構成されてなるので、呼気センサ１の不使用時には、ケース部材１０内に接続ケーブル４０を収容することができる。従って、取り外し不能の接続ケーブル４０を有しながらも、接続ケーブル４０が邪魔にならずに持ち運びが容易な呼気センサ１とすることができる。
【００２７】
また、この呼気センサ１では、接続ケーブル４０を折り返して束ねるなどの作業をせず、巻芯部２３に接続ケーブル４０を巻き付けて収容部材２１をスライドさせれば良く、容易に接続ケーブル４０をケース部材１０内に収容できる。
【００２８】
また、この呼気センサ１では、接続ケーブル４０が長円状に巻芯部２３に巻き付けられるので、小さな半径で接続ケーブル４０を巻き付ける部分を少なくでき、接続ケーブル４０の巻き付けによる劣化を減少することができる。
【００２９】
また、収容部材２１の収容外壁部２２の下側周縁部２２ＥＵに切欠部２２Ｈを有するので、開口１５を収容外壁部２２で閉塞した状態で、開口１５と収容外壁部２２との間に接続ケーブル４０が挟まれて傷つくことなく、接続ケーブル４０をケース本体１１内から外部に延出させることができる。
【００３０】
（変形形態）
次いで、本発明の変形形態にかかる呼気センサ１０１について、図６を参照しつつ説明する。
この呼気センサ１０１は、ケース本体１１の開口１１５の周縁１１５Ｅに切欠部１１５Ｈ（ケーブル延出用切り欠き）を有する点で、収容部材２１の収容外壁部２２の周縁２２Ｅに切欠部２２Ｈを有する、上述した実施形態の呼気センサ１と異なる。
図６に示すように、本変形形態にかかる呼気センサ１０１でも、開口１１５を収容外壁部１２２で閉塞した状態で、切欠部１１５Ｈを通じて、接続ケーブル４０をケース部材１０外に延出させることができる。即ち、開口１１５を収容外壁部１２２で閉塞した状態で、開口１１５と収容外壁部１２２との間に接続ケーブル４０が挟まれて傷つくことなく、接続ケーブル４０をケース本体１１内から外部に延出させることができる。
【００３１】
以上において、本発明を実施形態及び変形形態に即して説明したが、本発明は上記実施形態等に限定されるものではなく、その要旨を逸脱しない範囲で、適宜変更して適用できることは言うまでもない。
例えば、実施形態等では、呼気センサ１，１０１のケース部材１０として、接続ケーブル４０を手で巻き付けるための巻芯部２３を有する収容部材２１を備えるケース部材１０を示した。しかしながら、ケース部材として、例えば、束ねた接続ケーブルを自身の内部に収容した後、蓋で閉塞する形態のケース部材や、接続ケーブルを巻き取る巻取機構を内部に備えるケース部材を用いることもできる。
また、呼気センサとして、呼気中のアルコールを検知する呼気センサ１，１０１を示した。しかし、呼気センサを、呼気中のアセトンを検知する呼気センサや、呼気中の口臭成分を検知する呼気センサとしても良い。
また、実施形態等では、呼気吹掛部５１及び呼気吹込部５５の両者を備える呼気センサ１，１０１を示したが、呼気吹掛部または呼気吹込部のいずれか一方のみを備える呼気センサとしても良い。また、接続ケーブル４０として、電源・通信兼用のＵＳＢケーブルを示したが、電源用の接続ケーブルや、通信用の接続ケーブルに適用しても良い。
【符号の説明】
【００３２】
１，１０１  呼気センサ
１０  ケース部材
１０Ｆ  外壁面
１１  ケース本体
１３Ａ  第１側壁部（側壁部）
１３Ｂ  第２側壁部（側壁部）
１３Ｃ  第３側壁部（側壁部）
１３Ｄ  第４側壁部（側壁部）
１５，１１５  開口
２１  収容部材
２２，１２２  収容外壁部
２２Ｅ  周縁（（収容外壁部の）周縁）
２２ＥＵ  下側周縁部（（収容外壁部の）周縁）
２２Ｈ，１１５Ｈ  切欠部（ケーブル延出用切り欠き）
２３  巻芯部
３０  ガスセンサ回路部
４０  接続ケーブル
６０  カメラ付き携帯端末（外部機器）
１１５Ｅ  周縁（（開口の）周縁）
ＤＬ  長手方向
ＤＳ  横方向
ＤＴ  厚み方向
ＤＴ１  第１厚み方向（出し方向）
ＤＴ２  第２厚み方向（入れ方向）
ＭＬ  長手寸法
ＭＳ  横寸法
Ｓ１  スライド機構
【図１】
2015099091.tif 000003
【図２】
2015099091.tif 000004
【図３】
2015099091.tif 000005
【図４】
2015099091.tif 000006
【図５】
2015099091.tif 000007
【図６】
2015099091.tif 000008